(57)【特許請求の範囲】
【請求項１】
調整可能な高椅子であって、
それぞれの内面において少なくとも１つの穴を有する少なくとも１つの溝部を有する少なくとも２つの直立パネルと、
前記２つの直立パネル間に結合される背もたれと、
前記少なくとも２つの直立パネルの前記少なくとも１つの溝部内において第１の方向及び第２の方向に摺動式に可動であり、前記溝部内の第１の方向と第２の方向との間で摺動し、少なくとも１つのタブ及び少なくとも１つのロック機構を更に備える、少なくとも１つの椅子板と、を備え、
前記少なくとも１つのタブは、前記少なくとも１つの溝部に対して垂直な方向において、第１の位置と第２の位置との間で移動するように構成されており、
前記第１の位置では、前記椅子板に設けられる受け部内に前記タブが嵌まり、前記第１の方向及び前記第２の方向に前記椅子板の前記移動を可能にし、
前記第２の位置では、前記タブが前記少なくとも１つの穴に係合して、前記第１の方向及び前記第２の方向の双方における前記タブ及び前記椅子板の移動が制限され、
前記少なくとも１つのロック機構は、少なくとも１つの押しボタンを更に備え、
前記押しボタンは、ボタン頂部と、ボタンハウジングと、を備え、
前記ボタンハウジングは、前記椅子板の底面に取り付けられ、
前記ボタン頂部は、前記ボタンハウジングの内壁に沿って移動し、
前記少なくとも１つのタブは、前記ボタン頂部に取り付けられ、
前記受け部は、前記椅子板の底面に、前記タブが前記第１の位置で前記椅子板の内部に沈み込むように形成され、
前記押しボタンは、前記押しボタンに印加される圧力に起因して、前記少なくとも１つのタブの前記第１の位置から前記第２の位置への移動に影響を与える、調整可能な高椅子。
【請求項２】
前記溝部は、水平リップを更に備え、
前記穴は、前記溝部の前記水平リップに沿って配置される、請求項１に記載の調整可能な高椅子。
【請求項３】
前記高椅子は、少なくとも１つのトレイシステムを更に備える、請求項１又は２に記載の調整可能な高椅子。
【請求項４】
前記椅子は、前記２つの直立パネルの外面に第２の溝部を更に有し、
前記１つのトレイシステムは、前記２つの直立パネルのそれぞれの前記外面にある少なくとも１つの溝部の周りで前記２つの直立パネルに接続される、請求項３に記載の調整可能な高椅子。
【請求項５】
前記外面の前記溝部は、前記２つの直立パネルの前記内面に沿って垂直に連なった前記溝部と位置合わせされる、請求項４に記載の調整可能な高椅子。
【発明の詳細な説明】
【技術分野】
【０００１】
本発明は、子供用の調整可能な椅子における座板をロックする方法の改変に関する。
【背景技術】
【０００２】
従来の子供用の調整可能な椅子は、座板の高さを調整することによって、様々な年齢の子供から異なる身長の大人までに対応することが可能である。調整可能な椅子は、直立パネルの内面に垂直に配置されるとともに互いに向き合う、滑面の一連の水平溝部を用いる。足載せ板及び座板は、双方とも対向する端部を有し、それぞれ、直立パネルに沿って所望の垂直位置において溝部のうちの対向する２つの溝部の中に摺動する。これらの椅子板は、２つの直立パネルと板との間の張力及び摩擦力によって適所に堅く保持される。張力は、直立パネルに対してねじ及びナットを締めることによってもたらされる。この調整方法は、かなりの時間及び労力を必要とし、ねじ及びナットの締りを確実にするのにかなりの量の人力を必要とする。さらに、ねじ及びナットを緩める及び締めるのに、１つ又は複数の工具が必要である。
【発明の概要】
【０００３】
本発明は、調整可能な椅子の椅子板を調整する、より簡単な方法に関する。これは、滑面の溝部を、単一の穴又は複数の穴を有する溝部に変更することによって達成される。座板及び足板は、調整可能な椅子にスナップ式に留め外しされるロック機構を用いて取り付けられる。このタイプのシステムを備えることにより、摩擦力又は板を適所に固定するための追加の工具を必要としないロック機構が可能になる。座板又は足板からなる椅子板は、追加の工具を必要としないで椅子から取り外すことができ、また椅子における所望の高さに素早く固定することができる。したがって、椅子は、幼児から大人までに適合して数秒のうちに調整することができる。本発明は、木材又は人工材料からできた任意の形状及びサイズの任意の種類の調整可能な椅子に適用することができる。
【０００４】
本発明の第１の態様によれば、調整可能な高椅子であって、それぞれの内面において穴を有する溝部を有する２つの直立パネルと、２つの直立パネル間に結合される背もたれと、２つの直立パネルの溝部内において第１の方向及び第２の方向に摺動式に可動であり、タブ及びロック機構を更に備える椅子板とを備え、タブは、溝部に対して垂直な方向において、第１の位置と第２の位置との間で移動するように構成されており、第１の位置では、椅子板に設けられる受け部内にタブが嵌まり、第１の方向及び第２の方向に椅子板の移動を可能にし、第２の位置では、タブが穴に係合して、第１の方向及び第２の方向の双方におけるタブ及び椅子板の移動が制限され、ロック機構は、押しボタンを更に備え、タブは、押しボタンに取り付けられ、押しボタンは、押しボタンに印加される圧力に起因して、タブの第１の位置から第２の位置への移動に影響を与える、調整可能な高椅子が提供される。
【０００５】
溝部は水平リップを更に有し、穴は溝部の水平リップに沿って配置されることが好ましい。
【０００６】
高椅子は、少なくとも１つのトレイシステムを更に備えることが好都合である。
【０００７】
椅子は、２つの直立パネルの外面に第２の溝部を更に有し、１つのトレイシステムが、２つの直立パネルのそれぞれの外面にある溝部の周りで２つの直立パネルに接続されることが好ましい。
【０００８】
外面の溝部は、２つの直立パネルの内面に沿って垂直に連なった溝部と位置合わせされることが好ましい。
【０００９】
トレイシステムは、２つの直立パネルのそれぞれの外面に沿って溝部に取り付けられるブラケットを更に備えることができ、ブラケットは、トレイシステムに係合するロック機構を備える。
【００１０】
２つの直立パネルのそれぞれの外面に沿った溝部は、少なくとも１つのロック機構を更に備えることが好ましい。
【００１１】
以下、本発明を添付の図面を参照して例として記載する。
【図面の簡単な説明】
【００１２】
【図１】椅子の様々な部品を示す、完全な状態の調整可能な椅子の斜視図である。
【図２】直立パネル、椅子板、及び溝部の側面図の部分斜視図である。
【図３】複数の穴を有する溝部の下側水平リップを示す直立パネルの拡大した部分側面図である。
【図４】複数の穴を有する上側水平リップ及び下側水平リップを示す直立パネルの内面の部分側面図である。
【図５】椅子板のロック機構が溝部の複数の穴に取り付けられる場合の相互係止システムを示す、直立パネルの内面の側面図である。
【図６】椅子板のロック機構の上面図である。
【図７】ロック機構を備える椅子板の斜視図である。
【図８】ロック機構の分解図である。
【図９】本発明の代替的な一実施形態としての、複数の穴を有する椅子板の図である。
【図１０】図９に示されている椅子板の複数の穴に対応する複数のタブのパターンを示す、代替的な実施形態の一例の部分斜視図である。
【発明を実施するための形態】
【００１３】
本発明は、子供用の調整可能な椅子の座面の奥行き及び椅子板の高さを調整する、より簡単な方法に関する。本方法は、種々の設計、サイズ、及び形状の任意のタイプの調整可能な高椅子に適用することができる。調整可能な高椅子の一般的な部品は、１つは座板として設計され、もう１つは足板として設計される椅子板１と、椅子の各側における２つの直立パネル２と、背もたれ３と、食事用トレイ又は手摺り６９とを備える。本発明は、上記直立パネル２の内面に整列し、突出部又はタブ３３と相互作用する溝部３０の複数の穴３２又は単一の穴を利用するロック機構によって上記椅子板１を直立パネル２に締結する方法を改変する（図５）。これらの溝部は、所望の高さ間隔で、それぞれ向き合う面において均等に、直立パネル２に沿って垂直方向に位置合わせされる。図３のように、溝部の下側リップに複数の穴又は単一の穴が意図されている場合でも、複数の穴３２又は単一の穴は、上記溝部の下側リップ及び上側リップにあることができることが留意される。この変形形態の利点については次の段落で述べる。
【００１４】
複数の穴３２又は単一の穴により、椅子板を水平方向の様々な位置においてロックすることが可能であり、したがって、使用者の異なる大きさに対応するために椅子の奥行きが調整される。各溝部３０の上側リップ及び下側リップ（図４）に単一の穴又は複数の穴を有することの利点は、椅子板を２つ以上の方法で設置することが可能であることである。これにより、様々に使用されるより広範な座面構成がもたらされる。例えば、座面用の滑面の椅子板は、ひっくり返して底面をあらわにすることができ、踏み台に使用される滑り止め面となり得る。
【００１５】
複数の穴３２又は単一の穴は、種々の形状及びサイズを有し、椅子板１に付随するロック機構に適合することができることにも留意される。複数の穴３２又は単一の穴は、限定しないが、伸長部及び後退部（山部及び谷部）、タブ用の穴、固定用フックロックのためのスロットを有する穴とすることができる。異なるサイズ及び設計については、代替的な実施形態に言及する際に以下の段落において更に述べる。
【００１６】
ロック機構の第２の部分は、図５に示されている椅子板において見られる。板１は、各側部に、溝部にある複数の穴３２又は単一の穴に最適に適合するように設計される単一のタブ３３（図６）の相補的なストリップを有する。上記タブは、１つのフック又は複数のフックとすることもできる。
【００１７】
ロックの係合は、タブ３３（図７）に取り付けられてロック機構を形成するばね動作式押しボタン４２によってもたらされる張力を解放することによって達成される。上記ばね動作式押しボタン４２は、張力が印加されると、タブ３３を押し下げ、座板１が溝部３０に沿って摺動することを可能にする。所望の配置に達すると、ばね式ボタンの張力が解放され、タブ３３が複数の穴３２又は単一の穴に係合係止することを可能にする。座板１の受け部３４は、ばね動作式押しボタン４２に張力が印加されるとタブ３３が座板１の内部に沈み込むように明確に設計されている。さらに、押しボタン頂部４２ａにつながっているタブ３３の拡張部は、上記ハウジング４２ｂの垂直壁７５に沿って摺動し、上記タブ３３を上記受け部３４内にガイドする。ばね動作式押しボタン４２は、ボタン頂部４２ａと、ボタンハウジング４２ｂと、コイルばね１５（図８）とからなる。ボタン頂部４２ａは、ボタンハウジング４２ｂの内壁に沿って摺動する。ボタン頂部４２ａの側部は、複数のタブ又は単一のタブ３３を有し、座板１の複数の穴３２又は単一の穴に係合する。１対のストッパー６７が、ボタン頂部４２ａの反対の側面に形成され、ボタンハウジング４２ｂの反対側の壁を通して形成される１対の垂直スリット７３と係合するように摺動する。スリット７３及びストッパー６７は、ボタン頂部４２ａがボタンハウジング４２ｂから係脱することを防止する。ボタン頂部に印加された押下力が解放されると、コイルばね１５は元の状態に戻り、それにより、ボタン頂部４２ａのストッパー６７がボタンハウジング４２ｂのスリット７３の上端部と係合するまでボタン頂部４２ａが持ち上がる。ロック機構は、タブ３３を溝部３０の垂直面にある複数の穴３２又は単一の穴に係合させるように種々の設計、サイズ、及び形状を有することができることが留意される。例えば、ばね動作式押しボタンは、タブ３３に取り付けられてロック機構を形成するレバーに置き換えることができる。
【００１８】
介入に対する代替的な一実施形態は、ロック機構部品の位置を交換することであることに留意されたい。ここでは、複数の穴９２又は単一の穴が、溝部にある代わりに椅子板１に位置している。図９を参照されたい。複数のタブ９３又は単一のタブは、板にある代わりに、直立パネル２に沿って各溝部上にある。
【００１９】
図１０を参照されたい。単一の穴又は複数の穴を有する上記椅子板１は、所望の位置の調整のために複数のタブ９３又は単一のタブに沿った異なるスポットに摺動し、次いで、第１の（primary）実施形態と同様のロック機構によって適所にロックされる。
【００２０】
また、本発明は、調整可能な椅子の椅子板を簡単に調整する目的であれば、形状及び設計に関わらず、任意のタイプの調整可能な椅子に適合することができる。
【図１】
0006679438.tif 000002
【図２】
0006679438.tif 000003
【図３】
0006679438.tif 000004
【図４】
0006679438.tif 000005
【図５】
0006679438.tif 000006
【図６】
0006679438.tif 000007
【図７】
0006679438.tif 000008
【図８】
0006679438.tif 000009
【図９】
0006679438.tif 000010
【図１０】
0006679438.tif 000011